(57)【特許請求の範囲】
【請求項１】
予め印刷条件が設定済のジョブのデータを複数保持可能な記憶手段に記憶されているジョブのデータの印刷処理を実行する画像処理装置であって、
前記記憶手段に記憶されている複数のジョブのデータの中から予め印刷条件が設定済のジョブのデータを、当該画像処理装置の操作手段からのユーザ指示により選択可能にする、操作制御手段と、
前記記憶手段に記憶されている複数のジョブのデータの中から予め印刷条件が設定済のジョブのデータが当該画像処理装置の操作手段からのユーザ指示により選択され、且つ、当該画像処理装置の操作手段から印刷実行指示がユーザ入力されたうえで、当該選択されたジョブのデータの印刷処理を、当該ジョブに対して予め設定済の印刷条件に従って、当該画像処理装置により実行させる、制御手段と、を有し、
前記制御手段は、
前記記憶手段に記憶されている複数のジョブのデータの中から予め印刷条件が設定済のジョブのデータが当該画像処理装置の操作手段からのユーザ指示により複数選択され、且つ、複数のジョブのデータの結合指示が当該画像処理装置の操作手段からユーザ入力されたうえで、
当該選択された複数のジョブのデータをもとに作成された１つの結合ジョブのデータを、当該選択された複数のジョブに対して予め設定済の印刷条件にかわって新たに設定された当該結合ジョブの印刷条件に関連付けて、当該画像処理装置の操作手段からの印刷実行指示のユーザ入力なしに当該画像処理装置による印刷を開始させることなく、前記記憶手段により保持させ、
且つ、前記制御手段は、
前記記憶手段に保持された前記結合ジョブのデータの印刷処理を、当該画像処理装置の操作手段からの印刷実行指示がユーザ入力されたうえで、前記選択された複数のジョブに対して予め設定済の印刷条件にかわって新たに設定された前記結合ジョブの印刷条件に従って、当該画像処理装置により実行させる、
ことを特徴とする画像処理装置。
【請求項２】
前記制御手段は、
前記結合指示と共に前記結合ジョブのデータの印刷実行指示が当該画像処理装置の操作手段からユーザ入力されたことを条件に、前記結合ジョブのデータを前記記憶手段により保持させるとともに前記結合ジョブのデータの印刷処理を当該画像処理装置により実行させることを許可する、ことを特徴とする請求項１記載の画像処理装置。
【請求項３】
前記制御手段は、
前記結合指示と共に前記選択された複数のジョブのデータの消去指示が当該画像処理装置の操作手段からユーザ入力されたことを条件に、前記結合ジョブのデータを前記記憶手段に保持させるとともに前記選択された複数のジョブのデータを前記記憶手段から消去させ、
且つ、前記制御手段は、
前記結合指示と共に前記選択された複数のジョブのデータの消去指示が当該画像処理装置の操作手段からユーザ入力されなかった場合、前記結合ジョブのデータを前記記憶手段に保持させるとともに前記選択された複数のジョブのデータを前記記憶手段から消去させることを禁止することを特徴とする請求項１又は２記載の画像処理装置。
【請求項４】
前記選択された複数のジョブは、互いに、フィニッシングに関する処理条件および印刷部数に関する処理条件を少なくとも含む複数の印刷条件が予め設定済のジョブであり、
前記制御手段は、
前記選択された複数のジョブに対して予め設定済の複数の印刷条件のうちのフィニッシングに関する処理条件および印刷部数に関する処理条件についてはデフォルト設定に初期化された処理条件に従って、前記結合ジョブのデータの印刷処理を当該画像処理装置により実行可能にすることを特徴とする請求項１乃至３の何れかに記載の画像処理装置。
【請求項５】
前記操作制御手段は、印刷部数および用紙サイズおよび倍率および両面設定およびページ出力順序およびソート出力およびステイプルの少なくとも何れかに関する処理条件を含む複数の印刷条件が設定済のジョブのデータを、当該画像処理装置の操作手段からのユーザ指示により選択可能にし、
且つ、前記制御手段は、
前記選択された複数のジョブに対して予め設定済の複数の印刷条件が全て同じ処理条件である場合に、それらの処理条件は全てそのまま前記結合ジョブの処理条件として利用可能にする、ことを特徴とする請求項１乃至４の何れかに記載の画像処理装置。
【請求項６】
前記操作制御手段は、
ユーザ毎に割当て可能な複数のボックスの各ボックス毎に区別して、前記記憶手段に記憶されているジョブのデータを、当該画像処理装置の操作手段からのユーザ指示により選択可能にし、
前記操作制御手段は、前記結合ジョブのデータを前記複数のボックスのどのボックスのデータとして前記記憶手段に保持させるかを、当該画像処理装置の操作手段からのユーザ指示により選択可能にする、ことを特徴とする請求項１乃至５の何れかに記載の画像処理装置。
【請求項７】
前記制御手段は、
前記選択された複数のジョブのデータに該当する複数の文書データが当該画像処理装置の操作手段からのユーザ指示による前記複数のジョブの選択順序と同じ順序で1つに結合された文書データを、前記結合ジョブのデータとして、前記結合ジョブの印刷条件と関連付けて、前記記憶手段に保持させることを特徴とする請求項１乃至６の何れかに記載の画像処理装置。
【請求項８】
前記操作制御手段は、前記操作手段により表示させる前記記憶手段に記憶されているジョブのファイル名を一覧表示する表示画面を介して、予め印刷条件が設定済のジョブのデータを、前記記憶手段に記憶されている複数のジョブのデータの中から当該画像処理装置のユーザにより複数選択可能にし、
且つ、前記操作制御手段は、前記結合ジョブのファイル名を前記操作手段により表示させる表示画面を介して当該画像処理装置のユーザにより設定可能にすることを特徴とする請求項１乃至７の何れかに記載の画像処理装置。
【請求項９】
前記操作制御手段は、前記操作手段により表示させる表示画面を介して、前記結合ジョブのファイル名を当該画像処理装置のユーザにより設定可能にし、且つ、前記操作制御手段は、前記結合ジョブのファイル名がユーザにより設定されなかった場合は、前記結合ジョブのデータを前記記憶手段に保持させた時点の日時を、前記結合ジョブのファイル名として利用可能にすることを特徴とする請求項１乃至８の何れかに記載の画像処理装置。
【請求項１０】
前記制御手段は、ホストコンピュータにて予め印刷条件が設定済のジョブのデータと前記画像処理装置の前記操作手段を介して予め印刷条件が設定済のジョブのデータを、結合対象のジョブのデータとして前記記憶手段に記憶させることを特徴とする請求項１乃至９の何れかに記載の画像処理装置。
【請求項１１】
予め印刷条件が設定済のジョブのデータを複数保持可能な記憶手段に記憶されているジョブのデータの印刷処理を実行する画像処理装置の制御方法であって、
前記制御方法は、
前記記憶手段に記憶されている複数のジョブのデータの中から予め印刷条件が設定済のジョブのデータを、当該画像処理装置の操作手段からのユーザ指示により選択可能にし、
且つ、前記制御方法は、
前記記憶手段に記憶されている複数のジョブのデータの中から予め印刷条件が設定済のジョブのデータが当該画像処理装置の操作手段からのユーザ指示により選択され、且つ、当該画像処理装置の操作手段から印刷実行指示がユーザ入力されたうえで、当該選択されたジョブのデータの印刷処理を、当該ジョブに対して予め設定済の印刷条件に従って、当該画像処理装置により実行させ、
且つ、前記制御方法は、
前記記憶手段に記憶されている複数のジョブのデータの中から予め印刷条件が設定済のジョブのデータが当該画像処理装置の操作手段からのユーザ指示により複数選択され、且つ、複数のジョブのデータの結合指示が当該画像処理装置の操作手段からユーザ入力されたうえで、
当該選択された複数のジョブのデータをもとに作成された１つの結合ジョブのデータを、当該選択された複数のジョブに対して予め設定済の印刷条件にかわって新たに設定された当該結合ジョブの印刷条件に関連付けて、当該画像処理装置の操作手段からの印刷実行指示のユーザ入力なしに当該画像処理装置による印刷を開始させることなく、前記記憶手段により保持させ、
且つ、前記制御方法は、
前記記憶手段に保持された前記結合ジョブのデータの印刷処理を、当該画像処理装置の操作手段からの印刷実行指示がユーザ入力されたうえで、前記選択された複数のジョブに対して予め設定済の印刷条件にかわって新たに設定された前記結合ジョブの印刷条件に従って、当該画像処理装置により実行させる、
ことを特徴とする制御方法。
【請求項１２】
前記制御方法は、
前記結合指示と共に前記結合ジョブのデータの印刷実行指示が当該画像処理装置の操作手段からユーザ入力されたことを条件に、前記結合ジョブのデータを前記記憶手段により保持させるとともに前記結合ジョブのデータの印刷処理を当該画像処理装置により実行させることを許可する、ことを特徴とする請求項１１記載の制御方法。
【請求項１３】
前記制御方法は、
前記結合指示と共に前記選択された複数のジョブのデータの消去指示が当該画像処理装置の操作手段からユーザ入力されたことを条件に、前記結合ジョブのデータを前記記憶手段に保持させるとともに前記選択された複数のジョブのデータを前記記憶手段から消去させ、
且つ、前記制御方法は、
前記結合指示と共に前記選択された複数のジョブのデータの消去指示が当該画像処理装置の操作手段からユーザ入力されなかった場合、前記結合ジョブのデータを前記記憶手段に保持させるとともに前記選択された複数のジョブのデータを前記記憶手段から消去させることを禁止することを特徴とする請求項１１又は１２記載の制御方法。
【請求項１４】
前記選択された複数のジョブは、互いに、フィニッシングに関する処理条件および印刷部数に関する処理条件を少なくとも含む複数の印刷条件が予め設定済のジョブであり、
前記制御方法は、
前記選択された複数のジョブに対して予め設定済の複数の印刷条件のうちのフィニッシングに関する処理条件および印刷部数に関する処理条件についてはデフォルト設定に初期化された処理条件に従って、前記結合ジョブのデータの印刷処理を当該画像処理装置により実行可能にすることを特徴とする請求項１１乃至１３の何れかに記載の制御方法。
【請求項１５】
前記制御方法は、印刷部数および用紙サイズおよび倍率および両面設定およびページ出力順序およびソート出力およびステイプルの少なくとも何れかに関する処理条件を含む複数の印刷条件が設定済のジョブのデータを、当該画像処理装置の操作手段からのユーザ指示により選択可能にし、
且つ、前記制御方法は、
前記選択された複数のジョブに対して予め設定済の複数の印刷条件が全て同じ処理条件である場合に、それらの処理条件は全てそのまま前記結合ジョブの処理条件として利用可能にする、ことを特徴とする請求項１１乃至１４の何れかに記載の制御方法。
【請求項１６】
前記制御方法は、
ユーザ毎に割当て可能な複数のボックスの各ボックス毎に区別して、前記記憶手段に記憶されているジョブのデータを、当該画像処理装置の操作手段からのユーザ指示により選択可能にし、
且つ、前記制御方法は、前記結合ジョブのデータを前記複数のボックスのどのボックスのデータとして前記記憶手段に保持させるかを、当該画像処理装置の操作手段からのユーザ指示により選択可能にする、ことを特徴とする請求項１１乃至１５の何れかに記載の制御方法。
【請求項１７】
前記制御方法は、
前記選択された複数のジョブのデータに該当する複数の文書データが当該画像処理装置の操作手段からのユーザ指示による前記複数のジョブの選択順序と同じ順序で1つに結合された文書データを、前記結合ジョブのデータとして、前記結合ジョブの印刷条件と関連付けて、前記記憶手段に保持させることを特徴とする請求項１１乃至１６の何れかに記載の制御方法。
【請求項１８】
前記制御方法は、前記操作手段により表示させる前記記憶手段に記憶されているジョブのファイル名を一覧表示する表示画面を介して、予め印刷条件が設定済のジョブのデータを、前記記憶手段に記憶されている複数のジョブのデータの中から当該画像処理装置のユーザにより複数選択可能にし、
且つ、前記制御方法は、前記結合ジョブのファイル名を前記操作手段により表示させる表示画面を介して当該画像処理装置のユーザにより設定可能にすることを特徴とする請求項１１乃至１７の何れかに記載の制御方法。
【請求項１９】
前記制御方法は、前記操作手段により表示させる表示画面を介して、前記結合ジョブのファイル名を当該画像処理装置のユーザにより設定可能にし、且つ、前記操作制御手段は、前記結合ジョブのファイル名がユーザにより設定されなかった場合は、前記結合ジョブのデータを前記記憶手段に保持させた時点の日時を、前記結合ジョブのファイル名として利用可能にすることを特徴とする請求項１１乃至１８の何れかに記載の制御方法。
【請求項２０】
前記制御方法は、ホストコンピュータにて予め印刷条件が設定済のジョブのデータと前記画像処理装置の前記操作手段を介して予め印刷条件が設定済のジョブのデータを、結合対象のジョブのデータとして前記記憶手段に記憶させることを特徴とする請求項１１乃至１９の何れかに記載の制御方法。
【請求項２１】
請求項１１乃至２０の何れかに記載の制御方法を実行するためのプログラム。
【請求項２２】
請求項１１乃至２０の何れかに記載の制御方法を実行するためのプログラムを記憶したコンピュータ読取可能な記憶媒体。
【発明の詳細な説明】
【０００１】
【発明の属する技術分野】
本発明は、入力される画像データと、該画像データに対し設定されている処理モードを該画像データとリンクしたジョブとを記憶しておき、該記憶された画像データを読み出し、処理モードに応じてプリント出力可能な画像処理装置および画像処理装置の制御方法およびプログラムおよび記憶媒体に関するものである。
【０００２】
【従来の技術】
従来、スキャナから読み取った画像データや、ホストコンピュータからネットワークを介して送られてきたＰＤＬデータをビットマップに展開した画像データを複写機内のハードディスク等のメモリに一旦記憶し、そのメモリから任意の原稿の画像データを繰り返し読み出してプリントアウトする機能を備えたデジタル複写機が知られている。
【０００３】
また、これらデジタル複写機には、ステイプル、パンチ穴開け、折り、製本とじ等のフィニッシング機能を搭載したフィニッシャを接続することができ、それらフィニッシングの設定や両面等の画像の割り付けなどを画像の保存と同時にジョブ属性としてメモリに保存しておき、画像の入力とは非同期にこれらジョブ情報に基づきプリント出力するボックス機能を有するものもある。このボックス機能において、複数の文書を選択し、それら複数の文書を１文書としてまとめてフィニッシング等を行うボックス結合プリントという機能があった。
【０００４】
【発明が解決しようとする課題】
しかしながら、上記従来の画像処理装置のボックス結合プリント機能では、各文書に部数，フィニッシング等の異なるプリント設定がされている場合に不整合となる可能性があるため、出力時にユーザが明示的にフィニッシング等のプリント設定を行う必要があった。
【０００５】
このため、出力開始後に部数が足りないことに気づいた場合や、頻繁にボックス結合プリントする文書の組み合わせにおいて、再度プリントするときに毎回ユーザがプリント設定を行わなければならず、操作設定が非常に煩雑であるという問題点があった。
【０００６】
本発明は、上記の問題点を解決するためになされたもので、本発明の目的は、同一の文書を結合して出力する場合、その度に同じ出力設定を行う必要がなく、簡単操作で文書の結合プリントを行って、結合文書出力時の設定を緩和することができ、ボックス機能を有するデジタル複写機において、複数の文書を結合した結合文書を取り扱いやすいデジタル複写環境を提供することができる仕組みを提供することである。
【０００７】
【課題を解決するための手段】
本発明は、予め印刷条件が設定済のジョブのデータを複数保持可能な記憶手段に記憶されているジョブのデータの印刷処理を実行する画像処理装置であって、前記記憶手段に記憶されている複数のジョブのデータの中から予め印刷条件が設定済のジョブのデータを、当該画像処理装置の操作手段からのユーザ指示により選択可能にする、操作制御手段と、前記記憶手段に記憶されている複数のジョブのデータの中から予め印刷条件が設定済のジョブのデータが当該画像処理装置の操作手段からのユーザ指示により選択され、且つ、当該画像処理装置の操作手段から印刷実行指示がユーザ入力されたうえで、当該選択されたジョブのデータの印刷処理を、当該ジョブに対して予め設定済の印刷条件に従って、当該画像処理装置により実行させる、制御手段と、を有し、前記制御手段は、前記記憶手段に記憶されている複数のジョブのデータの中から予め印刷条件が設定済のジョブのデータが当該画像処理装置の操作手段からのユーザ指示により複数選択され、且つ、複数のジョブのデータの結合指示が当該画像処理装置の操作手段からユーザ入力されたうえで、当該選択された複数のジョブのデータをもとに作成された１つの結合ジョブのデータを、当該選択された複数のジョブに対して予め設定済の印刷条件にかわって新たに設定された当該結合ジョブの印刷条件に関連付けて、当該画像処理装置の操作手段からの印刷実行指示のユーザ入力なしに当該画像処理装置による印刷を開始させることなく、前記記憶手段により保持させ、且つ、前記制御手段は、前記記憶手段に保持された前記結合ジョブのデータの印刷処理を、当該画像処理装置の操作手段からの印刷実行指示がユーザ入力されたうえで、前記選択された複数のジョブに対して予め設定済の印刷条件にかわって新たに設定された前記結合ジョブの印刷条件に従って、当該画像処理装置により実行させる、ことを特徴とする。
【００１８】
【発明の実施の形態】
〔第１実施形態〕
図１は、本発明の第１実施形態を示す画像処理装置の構成を示すブロック図である。
【００１９】
図において、１０１はデジタル複写機本体で、操作部１０２、リーダ部１０３、プリンタ部１０４から構成される。操作部１０２は、デジタル複写機本体１０１及び画像入出力制御部１０５を操作するために使用する。リーダ部１０３は、原稿の画像を読み取り、原稿画像に応じた画像データをプリンタ部１０４及び画像入出力制御部１０５へ出力する。プリンタ部１０４は、リーダ部１０３及び画像入出力制御部１０５からの画像データに応じた画像を記録紙上に記録する。画像入出力制御部１０５は、リーダ部１０３に接続されており、コンピュータ部１０６、画像メモリ１０７、制御部１０８、バックアップＲＡＭ１１０から構成される。
【００２０】
コンピュータインタフェース部１０６は、パーソナルコンピュータ又はワークステーション（ＰＣ／ＷＳ）１０９によって構成されるプリントサーバと制御部１０８の間のインタフェースであり、ＰＣ／ＷＳ１０９から転送された画像を表すコードデータ（ＰＤＬ）をプリンタ部１０４で記録できる画像データに展開して制御部１０８に渡す。
【００２１】
制御部１０８は、リーダ部１０３，コンピュータインタフェース部１０６，画像メモリ１０７のそれぞれの間のデータの流れを制御するものである。また、制御部１０８は、ＣＰＵ，ＲＯＭ，ＲＡＭ等を有し、ＣＰＵがＲＯＭ又は図示しない記憶媒体に格納されたプログラムに基づいてデジタル複写機本体１０１，画像入出力制御部１０５を含む装置全体を統括制御する。なお、前記ＲＡＭはＣＰＵの作業領域として用いられる。
【００２２】
バックアップＲＡＭ１１０は、電源を落としても消去されないメモリであり、デジタル複写機１０１及び画像入出力制御部１０５においてバックアップしておかなければならないデータを保存しておくものである。
【００２３】
図２は、図１に示したデジタル複写機本体１０１の構成を示す断面図であり、特にＺ折りユニット，フィニッシャ等が装着された場合に対応する。なお、図１と同一のものには同一の符号を付してある。
【００２４】
図において、リーダ部１０３において、２０１は原稿給送装置で、原稿を先頭順に１枚ずつプラテンガラス２０２上へ給送し、原稿の読み取り動作終了後、プラテンガラス２０２上の原稿を排出するものである。原稿がプラテンガラス２０２上に搬送されると、ランプ２０３を点灯し、そしてスキャナユニット２０４の移動を開始させて、原稿を露光走査する。この時の原稿からの反射光は、ミラー２０５，２０６，２０７及びレンズ２０８によってＣＣＤイメージセンサ（以下ＣＣＤという）２０９へ導かれる。このように、走査された原稿の画像はＣＣＤ２０９によって読み取られる。
【００２５】
次に、プリンタ部１０４において、２２１はレーザドライバで、レーザ発光部２１０を駆動するものであり、出力画像データに応じたレーザ光をレーザ発光部２１０に発光させる。このレーザ光は感光ドラム２１１に照射され、感光ドラム２１１にはレーザ光に応じた潜像が形成される。この感光ドラム２１１の潜像の部分には現像器２１２によって現像剤が付着される。カラー機の場合は、イエロー、マゼンタ、シアン、ブラックの４色分現像器が装着される。そして、レーザ光の照射開始と同期したタイミングで、カセット２１３及びカセット２１４、手差し給紙段２２７のいずれかから記録紙を給紙して転写部２１５へ搬送し、感光ドラム２１１に付着された現像剤を記録紙に転写する。
【００２６】
現像剤の乗った記録紙は定着部２１６に搬送され、定着部２１６の熱と圧力により現像剤は記録紙に定着される。定着部２１６を通過した記録紙は排出ローラ２１７によって排出され、また、両面記録が設定されている場合は、排出ローラ２１７のところまで記録紙を搬送した後、排出ローラ２１７の回転方向を逆転させ、フラッパ２１８によって再給紙搬送路２１９へ導く。再給紙搬送路２１９へ導かれた記録紙は上述したタイミングで転写部２１５へ給紙される。
【００２７】
なお、Ｚ折りユニット２２６が本体に装備されている場合には、Ｚ折りユニットへ記録紙が搬送され、操作部からの操作に応じてＺ折りが行われる。
【００２８】
また、フィニッシャ２２０が装備されている場合、排出された記録紙を束ねて記録紙の仕分けをしたり、ユーザからの指定に応じてパンチャ２２３で記録紙のパンチが、ステイプラ２２４でステイプルがそれぞれ行われる。
【００２９】
また、サドルスティッチャ２２５を使用すると、記録紙の中央部をステッチし、その中央部を折ることにより記録紙が製本される。インサータ２２２では、予め印刷された記録紙を、表紙や合紙として給紙することが可能となり、プリンタ部の記録紙経路を通すことがないため用紙を傷めず搬送することができる。サドルステッチャ２２５を使用しないジョブは、排紙口２３１を通り、可動トレイ２２８，２２９のどちらかに排出される。
【００３０】
この可動トレイ２２８，２２９は、両方共上下に動作することができ、可動トレイ２２８に出力する場合には可動トレイ２２８が排紙口２３１の位置まで降りる。サドルステッチャ２２５を使用するジョブは、排紙口２３２を通り、製本トレイ２３０に排出される。
【００３１】
なお、本実施形態では、プリンタ部（プリンタエンジン）１０４がレーザビーム方式である場合を例にして説明したが、レーザビーム方式以外の電子写真方式（例えばＬＥＤ方式）でも、液晶シャッタ方式、インクジェット方式、熱転写方式、昇華方式でもその他のプリント方式であっても本発明は適用可能である。
【００３２】
図３は、図１に示した操作部（操作パネル）１０２のキー配列を示す平面図である。
【００３３】
図において、３０１は電源スイッチで、本体への通電を制御する。３０２は予熱キーで、予熱モードのＯＮ／ＯＦＦに使用する。３０３はコピーＡモードキーで、複数の機能の中からコピーＡモードを選択するときに使用する。３０４はコピーＢモードキーで、複数の機能の中からコピーＢモードを選択するときに使用する。コピーＡ及びコピーＢとは、各々同じコピー機能であるが、片方のコピーのスキャナ読み込みが終了している場合は次のコピーの入力ができるため、敢えてユーザに分かりやすくするために二つのコピーに分けている。
【００３４】
３０５はメールボックスキーで、複数の機能の中からメールボックスモードを選択するときに使用する。メールボックス機能とは、ユーザ個人や部署毎に複写機内のメモリに記憶領域を持ち、そこにＰＤＬやスキャン画像を入れておき、好きなときに出力する機能である。３０６は拡張キーで、ＰＤＬに対する操作を行うときに使用する。これらのキー３０３〜３０６は、後述するＬＣＤタッチパネル３１６の各々の機能画面を呼び出すときにも使用され、ＬＣＤ３１６の表示により各々のジョブの状況を見ることができる。
【００３５】
３０７はコピースタートキーで、コピーの開始を指示するときに用いるキーである。３０８はストップキーで、コピーを中断したり、中止したりするときに用いるキーである。３０９はリセットキーで、スタンバイ中は標準モードに復帰させるキーとして動作する。３１０はガイドキーで、各機能を知りたいときに使用するキーである。３１１はユーザモードキーで、ユーザがシステムの基本設定を変更するときに使用する。３１２は割り込みキーで、コピー中に割り込みしてコピーしたいときに用いる。
【００３６】
３１３はテンキーで、数値の入力を行うときに使用する。３１４はクリアキーで、テンキー３１３により入力された数値をクリアするときに用いる。３１５はＩＤキーで、複写機を使用する場合にＩＤの入力モードに移行するときに使用する。
【００３７】
３１６は液晶画面とタッチセンサの組合せからなるＬＣＤタッチパネルで、各モード毎に個別の設定画面が表示され、さらに描画されたキーに触れることで、各種の詳細な設定を行うことが可能である。また、各々のジョブの動作状況表示なども行う。
【００３８】
３１７はネットワークの通信状態を示すタリーランプで、通常緑色で、通信しているときは緑色で点滅し、ネットワークエラーの場合には赤色になる。
【００３９】
図４は、図３に示した操作パネル（ＬＣＤタッチパネル３１６）に表示されるコピー標準画面を示した模式図である。本実施形態の画像処理装置は、電源投入時にデフォルトとして以下に示すコピー標準画面で起動するようになっている。
【００４０】
図において、４０１はメッセージラインで、コピージョブの状態をメッセージで表示する。４０２は倍率表示で、設定された倍率やコピーモードによって自動的に決められる倍率をパーセントで表示する。４０３は用紙サイズ表示で、選択された出力用紙を表示し、自動用紙選択が設定されている場合にはオート用紙というメッセージを表示する。４０４は置数表示で、何枚コピーするかを示す。
【００４１】
４０５は縮小キーで、縮小コピーを行いたい場合に使用する。４０６は等倍キーで、縮小や拡大が設定されている場合に等倍に戻したいときに使用する。４０７は拡大キーで、拡大コピーを行いたい場合に使用する。４０８はズームキーで、細かい単位で倍率を設定して縮小コピーや拡大コピーを行いたい場合に使用する。
【００４２】
４０９は用紙選択キーで、出力用紙を指定する場合に使用する。４１０はソータキーで、ソートやステイプルのモードを設定する場合に使用する。４１１は両面キーで、両面モードを設定する場合に使用する。
【００４３】
４１２は濃度表示で、現在の濃度が分かるようになっており、左側が濃度が薄く、右側が濃度が濃いことを示す。また、濃度表示４１２は、うすくキー４１３，こくキー４１５と連動して表示が変化するようになっている。
【００４４】
うすくキー４１３は、濃度を薄くしたい場合に使用する。こくキー４１５は、濃度を濃くしたい場合に使用する。４１４は自動キーで、自動的に濃度を決定するモードを使用する場合に使用する。
【００４５】
４１６は文字キーで、文字原稿をコピーするのに適した濃度に自動的に設定する文字モードを設定する場合に使用する。４１７は文字／写真キーで、写真が混在した原稿をコピーするのに適した濃度に自動的に設定する文字／写真モードを設定する場合に使用する。
【００４６】
４１８は応用モードキーで、コピー標準画面で設定できない様々なコピーモードを設定する場合に使用する。４１９はプリント状況キーで、現在この画像処理装置１０１で行われているプリントの状況を見たい場合に使用する。プリント状況キー４１９は、コピー標準画面だけではなく、常にこの位置に現れており、いつでもこのキーを押すことによりプリント状況を見ることができるようになっている。
【００４７】
図５は、図１に示した画像メモリ１０７の論理的な使用方法を示した図である。
【００４８】
図に示すように、本実施形態においては使用用途に応じてハードディスク等の画像メモリの記憶領域をテンポラリ領域５０１とボックス領域５０２に論理的に分ける。
【００４９】
テンポラリ領域５０１は、画像データの出力順序を変えたり、複数部出力においても一回のスキャンで出力ができるようにするために、ＰＤＬの展開データやスキャナからの画像データを一時的に記憶する記憶領域である。ボックス全体領域５０２はボックス機能を使用するための記憶領域であり、ボックス領域５０３〜５０７のように登録された数の小さな記憶領域に分割されている。
【００５０】
このボックス５０３〜５０７は、各ユーザや会社などの部署毎に割り当てられ、各ボックスにはボックス名とパスワードを付けることができる。ユーザはボックスを指定することでＰＤＬジョブやスキャンジョブを各ボックスへ入力することができ、パスワードを入力することで実際にボックスの中を見たり、設定変更やプリント出力を行う。
【００５１】
以下、図６のフローチャートを参照して、本実施形態におけるボックス登録の手順について説明する。
【００５２】
図６は、本発明の画像処理装置における第１の制御処理手順の一例を示すフローチャートであり、本実施形態におけるボックス登録の手順に対応する。なお、このフローチャートは、図１に示した制御部１０８内のＣＰＵによりＲＯＭ又は図示しない記憶媒体に格納されたプログラムに基づいて実行されるものとする。
【００５３】
また、ボックスへの登録は、ホストコンピュータ（ＰＣ／ＷＳ１０９）からのＰＤＬ画像と、スキャナからのスキャン画像の登録があり、それぞれ図６の（ａ），（ｂ）が対応する。なお、図中Ｓ６０１〜Ｓ６０９は各ステップを示す。
【００５４】
まず、図６（ａ）を参照して、ＰＤＬ画像を登録する場合について説明する。
【００５５】
まずステップＳ６０１において、ＰＣ／ＷＳ１０９上でユーザがプリント設定を行い、ステップＳ６０２に進む。プリント設定内容は、部数、用紙サイズ、拡大縮小率、片面／両面、ページ出力順序、ソート出力、ステイプル止めの有無等である。
【００５６】
ステップＳ６０２では、ＰＣ／ＷＳ１０９上でボックス番号を設定することで、図５に示した画像メモリ１０７のボックス領域５０２内の領域が指定され、ステップＳ６０３に進む。例えば、ここではボックス番号が「１」と指定されると、ボックス全体領域５０２内のボックス領域１（５０３）が指定されることなる。
【００５７】
ステップＳ６０３では、ＰＣ／ＷＳ１０９上で印刷指示を与え、それと共にＰＣ／ＷＳ１０９上にインストールされているドライバソフトウェアが印刷対象となるコードデータをいわゆるＰＤＬデータに変換して、ステップＳ６０１で設定したプリント設定パラメータとともに、画像処理装置の制御装置１１０にＰＤＬデータを転送し、ステップＳ６０４に進む。
【００５８】
ステップＳ６０４では、転送されたＰＤＬデータを画像データに展開（ラスタライズ）する。画像データの展開が完了するとステップＳ６０５に進む。
【００５９】
ステップＳ６０５では、展開した画像データを画像メモリ１０７のボックス全体領域５０２に順次記憶（格納）する。例えばボックス番号が「１」のときは、ボックス領域１（５０３）内に記憶される。ステップＳ６０１で設定したプリント設定パラメータもボックス領域１（５０３）に記録される。また、ボックス番号が「２」，「３」のときはそれぞれボックス領域２（５０４），ボックス領域３（５０５）に記憶される。そして、画像データ格納後、処理を終了する。
【００６０】
次に、図６（ｂ）を参照して、スキャン画像を登録する場合について説明する。
【００６１】
まずステップＳ６０６において、画像を入力するボックス番号を指定し、ステップＳ６０７に進む。ステップＳ６０７では、操作部１０２を用いて画像処理等のスキャン設定を指定し、ステップＳ６０８に進む。
【００６２】
ステップＳ６０８では、図３に示したスタートキー３０７を押下してスキャンスタートの指示を出すことで、リーダ部１０３で原稿を読み取り、ステップＳ６０９に進む。ステップＳ６０９では、ステップＳ６０８で読み取った画像をステップＳ６０６で指定したボックス領域に格納し、処理を終了する。
【００６３】
なお、画像入力時に設定されたフィニッシングの設定や両面等の画像の割り付け等の処理モードを、画像の保存時（上記ステップＳ６０５，Ｓ６０９における画像データの格納時）にジョブ属性（後述する文書管理テーブル）としてメモリ（ボックス）に保存しておき、画像の入力とは非同期にこれらジョブ情報に基づきプリント出力することができる。
【００６４】
以下、図７〜図１２を参照して、本実施形態における文書結合保存処理の手順について説明する。
【００６５】
図７は、本実施形態における操作パネル上に表示されるボックス選択画面の一例を示す模式図であり、図３に示した操作パネルのボックスキー３０５を押下した場合にＬＣＤタッチパネル３１６に表示される。
【００６６】
この画面はボックスを選択する画面であり、７０１は、そのボックス番号，ボックス名，画像メモリ１０７のボックス全体領域５０２に対してそのボックスがどれだけ容量をとっているかの情報を表示する領域であり、ボックス番号を押下すると、図８に示すパスワード入力画面に遷移する。
【００６７】
７０２，７０３はそれぞれ下スクロールキー，上スクロールキーであり、領域７０１の表示を越える数のボックスが登録されているときに、画面をスクロールする場合に使用する。
【００６８】
図８は、本実施形態における操作パネル上に表示されるボックスパスワード入力画面の一例を示す模式図である。
【００６９】
図において、８０３はパスワード表示エリアで、図３に示したテンキー３１３等から入力されたパスワードを伏せ文字（ここでは、「＊」）で表示する。８０１は取消キーで、このキーを押下することで入力したパスワードを無効にし、図７に示したボックス選択画面に戻る。８０２はＯＫキーで、このキーを押下することで入力したパスワードの確定となり、パスワードの検証が行われる。
【００７０】
このように、パスワード入力画面から各ボックスに設定されているパスワードを入力することで、図９に示すボックス内画面に遷移し、各ボックスにアクセスできるようになる。なお、パスワードが違う場合には、図示していない警告画面に遷移し、ボックスにはアクセスできない。
【００７１】
図９は、本実施形態における操作パネル上に表示されるボックス内画面の一例を示す模式図である。
【００７２】
図において、９０１はボックス内のファイルリストで、各ファイルの登録日時，ファイル名がリスト表示される。ファイルを選択するにはファイル名を押下し、現在選択されているファイルは反転表示される。これはトグル動作になっており、一度選択したファイル名をもう一度押下すると、選択が解除される。
【００７３】
９０２は選択されたファイルの選択順序を示す表示で、この例の場合にはファイル名５，ファイル名１，ファイル名４の順に選択されている。この選択順はそのまま結合保存したときのファイル順序となる。
【００７４】
９０３はスキャンキーで、現在開いているボックスにスキャナから画像を入力する場合に使用し、図示していないスキャンの設定画面に遷移する。９０４はプリントキーで、ファイルリスト９０１で選択しているファイルをプリントする場合に使用する。
【００７５】
９０５は結合保存キーで、ファイルリスト９０１で選択している複数ファイルを１ファイルにまとめて格納しなおしたい場合に使用し、結合保存キー９０５を押下すると図１０に画面に遷移する。
【００７６】
９０６は消去キーで、ファイルリスト９０１で選択しているファイルを消去する場合に使用する。９０７は全選択キーで、ファイルリスト９０１で表示されているファイルを全部選択する場合に使用する。このキーにより全選択した場合には、選択順序はファイルリスト９０１の表示順となる。
【００７７】
９０８，９０９はそれぞれ下スクロールキー，上スクロールキーで、ファイルリスト９０１の表示を超える数のファイルが登録されているときに、画面をスクロールする場合に使用する。９１０は閉じるキーで、図８のパスワード入力画面に戻るときに使用する。
【００７８】
図１０は、本実施形態における操作パネル上に表示される結合保存決定画面の一例を示す模式図である。
【００７９】
図において、１００１は結合保存した元文書を消すかどうかの設定であり、「Ｙｅｓ」と「Ｎｏ」でトグル動作をする。「Ｙｅｓ」を選択した場合には、結合保存した後に元文書を消去する設定となり、「Ｎｏ」を選択した場合には、元文書は消去しない設定となる。
【００８０】
１００２はファイル名設定キーで、このキーを押下することで、図示しないファイル名設定画面となる。この図示しないファイル名設定画面は、ソフトキーボードが表示され、漢字変換等もサポートする。なお、ファイル名設定を行わない場合には、デフォルトで結合保存年，月，日，時間に対応する数字の羅列をファイル名とする。
【００８１】
１００３はＯＫキーで、実際にこの設定で結合保存を行う場合に押下する。１００４は取消キーで、図９に示したボックス内画面に戻る場合に使用する。
【００８２】
図１１は、本実施形態における文書結合保存時の文書管理テーブルの構造を示す図である。
【００８３】
文書Ａ〜Ｄは、それぞれ図５に示したボックス領域５０２に格納された文書の管理テーブル（各文書（画像）の処理モードを各文書とリンクして記憶したジョブ）を示す。なお、この文書管理テーブルはバックアップＲＡＭ１１０に格納されており、この文書管理テーブルと各画像とのリンクは、文書管理テープルのページ管理テーブルからハードディスク等の画像メモリ１０７上のファイルＩＤを指すことによって関連付けられている。また、文書管理テーブルをボックス領域５０２内に格納するように構成することも可能である。
【００８４】
また、この管理テーブルには、部数，ステイプル等のフィニッシング情報，その文書にぶら下がっているページ数，両面情報等の文書全体に関わるプリント属性，各ページの管理テーブルが格納されている。
【００８５】
また、ページの管理テーブルページＡ−１〜Ａ−ｎ，Ｂ−１〜Ｂ−ｎ，Ｃ−１〜Ｃ−ｎは、各ページの解像度，用紙サイズ，画素数等のページに関わるプリント属性が格納されている。
【００８６】
この図では、文書Ａ，文書Ｂ，文書Ｃの３文書の結合保存を例に挙げており、文書Ａ，文書Ｂ，文書Ｃが結合保存前の文書であり、図９に示したボックス内画面と同様の画面で文書Ａ，文書Ｂ，文書Ｃの順に選択されたものとする。
【００８７】
また、文書Ｄは結合保存後の文書であり、文書ＡのページＡ−１〜Ａ−ｎ，文書ＢのページＢ−１〜Ｂ−ｎ，文書ＣのページＣ−１〜Ｃ−ｎの順にコピーされ文書Ｄに繋がっている。
【００８８】
この結合保存された文書Ｄは、文書Ａ〜Ｃのプリント属性を全て継承しているわけではなく、文書Ｄが作成される時点で、フィニッシング，部数等は全てクリアされ、ソート１部というごく基本的なモードを新たに設定する。これは、結合前の各文書が異なる部数，異なるフィニッシングだった場合に、プリント時に不整合が発生するのを防ぐためである。
【００８９】
なお、結合元の文書Ａ〜Ｃのプリント属性（処理モード）を全てチェック（比較）し、不整合のない処理モードはクリアせず、そのまま結合文書Ｄに設定されるように構成してもよい。例えば、結合元の文書Ａ〜Ｃのフィニッシング，部数等を含むプリント属性が全て同じ設定である場合は、該設定をそのまま結合文書Ｄに設定するものとするように構成してもよい。
【００９０】
図１２は、本発明の画像処理装置の第２の制御処理手順の一例を示すフローチャートであり、本実施形態における結合保存処理手順に対応する。なお、このフローチャートは、図１に示した制御部１０８内のＣＰＵによりＲＯＭ又は図示しない記憶媒体に格納されたプログラムに基づいて実行されるものとする。また、図中Ｓ１２０１〜Ｓ１２１０は各ステップを示す。
【００９１】
まず、ステップＳ１２０１において、結合保存先の文書管理テーブルを結合保存先が同じボックス内になるように新規に割り当て、ソート１部という基本的なデフォルト設定に初期化し、ステップＳ１２０２に進む。本実施形態では結合保存先は同一ボックスとしているが、もちろんユーザに保存先のボックスを選択させて他のボックスに保存してもよい。また、図１０に示したファイル名設定キー１００２を用いて設定したファイル名はこの時点で文書管理テーブルに保存する。ファイル名が設定されていない場合には時刻をファイル名に変換して保存する。
【００９２】
次に、ステップＳ１２０２では、元文書情報を読み出し、その文書に繋がるページを検索し、ステップＳ１２０３に進む。ステップＳ１２０３では、元文書にぶらさがっているページを１ページ読み出し、ステップＳ１２０４に進む。ステップＳ１２０４では、結合保存先のページ管理テーブルを新規に割り当て、ステップＳ１２０５に進む。
【００９３】
ステップＳ１２０５では、元文書のページ管理テーブルの内容をステップＳ１２０４で割り当てた結合保存先のページ管理テーブルにコピーし、ステップＳ１２０６に進む。なお、ここで、フィニッシング，部数等は全てクリアされ、ソート１部というごく基本的なモードを新たに設定する。
【００９４】
ステップＳ１２０６では、結合保存先の文書管理テーブルのページ数情報と、ステップＳ１２０３で読み出したページの実画像の参照数をインクリメントし、ステップＳ１２０７に進む。実画像の参照数とは、実際に画像をコピーするのではなく、いくつの文書に参照されているかをカウントすることで、実画像による画像メモリ１０７の圧迫を防ぐためであり、参照数が「０」になった時点で実画像を消去する。もちろん、画像メモリ１０７の容量が多い場合や、画像自体に編集等を加える場合には実際に実画像をコピーしてもよい。
【００９５】
次に、ステップＳ１２０７では、ステップＳ１２０３で読み出したページが元文書の最終ページかどうかを判断し、まだ最終ページでないと判断された場合は、ステップＳ１２０３に戻り、次のページの読み出しを行う。一方、最終ページであると判断された場合は、ステップＳ１２０８に進む。
【００９６】
ステップＳ１２０８では、図１０に示した結合保存した元文書を消すかどうかの設定１００１で、元文書を消去する設定になっている（「Ｙｅｓ」）かどうかを判断し、消去設定になっている場合にはステップＳ１２０９に進み、元文書を消去し、ステップＳ１２１０に進む。
【００９７】
一方、ステップＳ１２０８で、元文書を消去しない（「Ｎｏ」）設定の場合には、そのままステップＳ１２１０に進む。
【００９８】
次に、ステップＳ１２１０では、ステップＳ１２０９までで処理した文書が結合する最終文書であるかどうかを判断し、まだ最終文書でないと判断された場合は、ステップＳ１２０２に戻り、次の元文書の読み出しを行う。一方、最終文書であると判断された場合は、そのまま処理を終了する。
【００９９】
この後、図９に示したボックス内画面で上記結合文書を選択し、プリントキー９０４を押下すという簡単な操作のみで、該結合文書を再度設定することなく何度も出力することができる。
【０１００】
〔第２実施形態〕
上記第１実施形態では、複数の文書を結合保存した後に、該結合文書を選択してプリントアウトする場合について説明したが、複数の文書の結合保存と同時に該結合文書をプリントアウトするように構成してもよい。以下、その実施形態について説明する。
【０１０１】
図１３は、本発明の第２実施形態における操作パネル上に表示される結合保存決定画面の一例を示す模式図であり、図１０と同一のものには同一の符号を付してある。
【０１０２】
図において、１３０１は結合保存した元文書を保存と同時にプリントするかどうかの設定であり、「Ｙｅｓ」と「Ｎｏ」でトグル動作をする。「Ｙｅｓ」を選択した場合には、結合保存と同時に結合文書をプリントアウトする設定となり、「Ｎｏ」を選択した場合には、結合保存と同時にプリントアウトしない（保存のみの）設定となる。
【０１０３】
１３０２はボックス指定キーで、このキーを押下することで、図示しないボックス指定画面となる。この図示しないボックス指定画面において、結合保存先の文書を記憶する（割り当てる）ボックスを指定することができる。なお、ボックス指定が無い場合には、元文書と同じボックス内に新規に割り当てるものとする。
【０１０４】
図１４は、本発明の画像処理装置の第３の制御処理手順の一例を示すフローチャートであり、本発明の第２実施形態における結合保存処理手順（結合保存時にプリントアウトする処理手順、即ち図１３に示したプリントを行うか否かの設定１３０１が「Ｙｅｓ」の場合の処理手順）に対応する。なお、このフローチャートは、図１に示した制御部１０８内のＣＰＵによりＲＯＭ又は図示しない記憶媒体に格納されたプログラムに基づいて実行されるものとする。また、図中Ｓ１４０１，Ｓ１２０２〜Ｓ１２０４，Ｓ１４０２，Ｓ１２０６〜Ｓ１２１０は各ステップを示し、図１２と同一のものには同一の符号を付してるが、その説明は省略し、ステップＳ１４０１，Ｓ１４０２のみ説明する。また、結合保存時にプリントアウトしない場合（図１３に示したプリントを行うか否かの設定１３０１が「Ｎｏ」の場合）の処理手順は図１２のフローチャートと同一となる。
【０１０５】
まず、ステップＳ１４０１において、結合保存先の文書管理テーブルを結合保存先が図１３のボックス指定キー１３０２を用いて指定されたボックス内になるように新規に割り当て、ソート１部という基本的なデフォルト設定に初期化し、ステップＳ１２０２に進む。なお、ボックス指定が無い場合には元文書と同一のボックスに保存するものとする。また、図１０に示したファイル名設定キー１００２を用いて設定したファイル名はこの時点で文書管理テーブルに保存する。ファイル名が設定されていない場合には年，月，日，時刻をファイル名に変換して保存する。
【０１０６】
また、ステップＳ１４０２において、元文書のページ管理テーブルの内容をステップＳ１２０４で割り当てた結合保存先のページ管理テーブルにコピーするとともに、該ページ管理テーブルに管理されているページの実画像をプリントデータとしてプリンタ部１０４に送信してプリントアウトし、ステップＳ１２０６に進む。なお、ここで、フィニッシング，部数等は全てクリアされ、ソート１部というごく基本的なモードを新たに設定する。
【０１０７】
以上の処理により、一度ハードディスク等の画像メモリ１０７に格納したスキャナやＰＤＬ画像を画像メモリ上で結合してプリントすると同時に新規文書を作成することで、同一の結合文書を再度出力する場合、その度に同じ出力設定を行う必要がなく、簡単操作で文書の結合プリントを行うことができる。
【０１０８】
なお、上記各実施形態では、結合文書をプリントアウトする場合について説明したが、図示しないファクシミリ送信手段やメール送信手段等を設け、結合文書をファクシミリ送信処理するように構成してもよい。その際、送信先のファクシミリ番号やメールアドレス等も各処理モードと共に保存するように構成してもよい。
【０１０９】
また、上記各実施形態を合わせた構成も本発明に含まれることは言うまでもない。
【０１１０】
以上の処理により、一度ハードディスク等の画像メモリ１０７に格納したスキャナやＰＤＬ画像を画像メモリ上で結合して新規文書を作成することで、同一の文書を再度結合して出力する場合、その度に同じ出力設定を行う必要がなく、簡単操作で文書の結合プリントを行うことができる。
【０１１１】
従って、ボックス機能を有するデジタル複写機において、複数文書を結合して保存することで、ユーザ設定を緩和することができる。なお、ボックスに格納して複数文書をユーザの選択順に１文書として結合し保存しなおす場合、フィニッシャ情報や部数情報はクリアして結合することとで複数文書の不整合を防ぐことができる。
【０１１２】
以下、図１５に示すメモリマップを参照して本発明に係る画像処理装置で読み出し可能なデータ処理プログラムの構成について説明する。
【０１１３】
図１５は、本発明に係る画像処理装置で読み出し可能な各種データ処理プログラムを格納する記憶媒体のメモリマップを説明する図である。
【０１１４】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１１５】
さらに、各種プログラムに従属するデータも上記ディレクトリに管理されている。また、インストールするプログラムやデータが圧縮されている場合に、解凍するプログラム等も記憶される場合もある。
【０１１６】
本実施形態における図６，図１２，図１４に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１１７】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１１８】
この場合、記憶媒体から読み出されたプログラムコード自体が本発明の新規な機能を実現することになり、そのプログラムコードを記憶した記憶媒体は本発明を構成することになる。
【０１１９】
プログラムコードを供給するための記憶媒体としては、例えば、フロッピー（登録商標）ディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１２０】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１２１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１２２】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【０１２３】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【０１３２】
【発明効果】
以上説明したように本発明によれば、予め印刷条件が設定済のジョブのデータを複数保持可能な記憶手段に記憶されているジョブのデータの印刷処理を実行する画像処理装置であって、前記記憶手段に記憶されている複数のジョブのデータの中から予め印刷条件が設定済のジョブのデータを、当該画像処理装置の操作手段からのユーザ指示により選択可能にする、操作制御手段と、前記記憶手段に記憶されている複数のジョブのデータの中から予め印刷条件が設定済のジョブのデータが当該画像処理装置の操作手段からのユーザ指示により選択され、且つ、当該画像処理装置の操作手段から印刷実行指示がユーザ入力されたうえで、当該選択されたジョブのデータの印刷処理を、当該ジョブに対して予め設定済の印刷条件に従って、当該画像処理装置により実行させる、制御手段と、を有し、前記制御手段は、前記記憶手段に記憶されている複数のジョブのデータの中から予め印刷条件が設定済のジョブのデータが当該画像処理装置の操作手段からのユーザ指示により複数選択され、且つ、複数のジョブのデータの結合指示が当該画像処理装置の操作手段からユーザ入力されたうえで、当該選択された複数のジョブのデータをもとに作成された１つの結合ジョブのデータを、当該選択された複数のジョブに対して予め設定済の印刷条件にかわって新たに設定された当該結合ジョブの印刷条件に関連付けて、当該画像処理装置の操作手段からの印刷実行指示のユーザ入力なしに当該画像処理装置による印刷を開始させることなく、前記記憶手段により保持させ、且つ、前記制御手段は、前記記憶手段に保持された前記結合ジョブのデータの印刷処理を、当該画像処理装置の操作手段からの印刷実行指示がユーザ入力されたうえで、前記選択された複数のジョブに対して予め設定済の印刷条件にかわって新たに設定された前記結合ジョブの印刷条件に従って、当該画像処理装置により実行させる、ことを特徴とする画像処理装置を提供するので、結合ジョブのデータの印刷時のユーザ設定を緩和することができ、結合ジョブを取り扱いやすいデジタル印刷環境を提供することができる等の効果を、前記画像処理装置のユーザが印刷を希望していないにも拘らず前記結合ジョブのデータが印刷されてしまうといったこともなく、奏することが可能となる。
【図面の簡単な説明】
【図１】本発明の第１実施形態を示す画像処理装置の構成を示すブロック図である。
【図２】図１に示したデジタル複写機本体の構成を示す断面図である。
【図３】図１に示した操作部のキー配列を示す平面図である。
【図４】図３に示した操作パネルに表示されるコピー標準画面を示した模式図である。
【図５】図５は、図１に示した画像メモリの論理的な使用方法を示した図である。
【図６】本発明の画像処理装置における第１の制御処理手順の一例を示すフローチャートである。
【図７】本実施形態における操作パネル上に表示されるボックス選択画面の一例を示す模式図である。
【図８】本実施形態における操作パネル上に表示されるボックスパスワード入力画面の一例を示す模式図である。
【図９】本実施形態における操作パネル上に表示されるボックス内画面の一例を示す模式図である。
【図１０】本実施形態における操作パネル上に表示される結合保存決定画面の一例を示す模式図である。
【図１１】本実施形態における文書結合保存時の文書管理テーブルの構造を示す図である。
【図１２】本発明の画像処理装置の第２の制御処理手順の一例を示すフローチャートである。
【図１３】本発明の第２実施形態における操作パネル上に表示される結合保存決定画面の一例を示す模式図である。
【図１４】本発明の画像処理装置の第３の制御処理手順の一例を示すフローチャートである。
【図１５】本発明に係る画像処理装置で読み出し可能な各種データ処理プログラムを格納する記憶媒体のメモリマップを説明する図である。
【符号の説明】
１０１  デジタル複写機本体
１０２  操作部
１０３  リーダ部
１０４  プリンタ部
１０５  画像入出力制御部
１０６  コンピュータインタフェース部
１０７  画像メモリ
１１０  バックアップＲＡＭ
１０９  パーソナルコンピュータ／ワークステーション（ＰＣ／ＷＳ）
【図１】
0003958006.tif 000002
【図２】
0003958006.tif 000003
【図３】
0003958006.tif 000004
【図４】
0003958006.tif 000005
【図５】
0003958006.tif 000006
【図６】
0003958006.tif 000007
【図７】
0003958006.tif 000008
【図８】
0003958006.tif 000009
【図９】
0003958006.tif 000010
【図１０】
0003958006.tif 000011
【図１１】
0003958006.tif 000012
【図１２】
0003958006.tif 000013
【図１３】
0003958006.tif 000014
【図１４】
0003958006.tif 000015
【図１５】
0003958006.tif 000016